(57)【要約】【課題】  製造コストが低く、機密性に優れる隠蔽ラベルを提供する。【解決手段】  第一部材１１と、第一部材１１の一方の面１１ａの少なくとも一部に設けられた剥離インキからなる第二部材１２と、第二部材１２の一方の面１２ａに接するように設けられた隠蔽色インキからなる第三部材１３と、第三部材１３の第二部材１２と接する面とは反対の面に順に積層された剥離インキからなる第四部材１４、紫外線硬化性のワニスからなる第五部材１５、および、粘着剤からなる第六部材１６と、第六部材１６の一方の面１６ａに貼付された第七部材１７と、を備えてなり、第四部材１４には第三部材１３と接する面から第五部材１５と接する面に渡り、かつ、第二部材１２と重なる貫通部１４ａが設けられてなる隠蔽ラベル１０を提供する。【選択図】        図１
2006178171.tif 000002
【特許請求の範囲】
【請求項１】
第一部材と、該第一部材の一方の面の少なくとも一部に設けられた剥離インキからなる第二部材と、該第二部材の前記第一部材と接する面とは反対の面に接するように設けられた隠蔽色インキからなる第三部材と、該第三部材の前記第二部材と接する面とは反対の面に順に積層された剥離インキからなる第四部材、紫外線硬化性のワニスからなる第五部材、および、粘着剤からなる第六部材と、該第六部材の前記第一部材と対向する面とは反対の面に貼付された第七部材と、を備えてなり、前記第四部材には前記第三部材と接する面から前記第五部材と接する面に渡り、かつ、前記第二部材と重なる貫通部が設けられてなることを特徴とする隠蔽ラベル。
【請求項２】
第一部材と、該第一部材の一方の面に順に積層された隠蔽色インキからなる第二部材、剥離インキからなる第三部材、紫外線硬化性のワニスからなる第四部材、および、粘着剤からなる第五部材と、該第五部材の前記第一部材と対向する面とは反対の面に貼付された第六部材と、を備えてなり、前記第三部材には前記第二部材と接する面から前記第四部材と接する面に渡る貫通部が設けられてなることを特徴とする隠蔽ラベル。
【発明の詳細な説明】
【技術分野】
【０００１】
本発明は、個人情報などが記載されたハガキなどの情報記入部材に適用される隠蔽ラベルに関する。
【背景技術】
【０００２】
２００５年より、個人情報保護法が施行されるに伴い、通信教育、信販などの業種において、顧客から郵送される返信ハガキに記載されている個人情報を保護しなくてはならなくなる。
【０００３】
従来、郵送に関して、個人情報を保護するためには、個人情報が記載された用紙などを封筒に入れて、封書扱いで返信する方式、ハガキの個人情報が記載された箇所に、再剥離可能なシールを貼付して返信する方式（例えば、特許文献１、特許文献２、特許文献３参照）、あるいは、ハガキの個人情報が記載された箇所に、二枚のフィルムが疑似接着されてなるシールを貼付して返信する方式（例えば、特許文献４参照）が適宜用いられていた。
【０００４】
しかしながら、封書用いる方式では、郵送費が高いという問題があった。
【０００５】
また、再剥離可能なシールを用いる方式では、郵送途中に第三者がシールを剥がして個人情報を盗み見たとしても、第三者は何ら痕跡を残さずに、シールを再貼付してしまうおそれがあるとともに、ハガキに記載された内容を改ざんすることができるため、個人情報を完全に保護することができなかった。さらに、二枚のフィルムが疑似接着されてなるシールを貼付して返信する方式では、シールの光沢度が高いため、白色光下では、シールが貼付された部分（シールで覆われている部分）に記載されている情報を読み取り可能な角度が制限されるため、非常に不便であった。
【特許文献１】特開平９−２７７４２３号公報
【特許文献２】特開昭６２−２４５２８５号公報
【特許文献３】特開昭６１−１３４７８４号公報
【特許文献４】特開平５−１６５９３号公報
【発明の開示】
【発明が解決しようとする課題】
【０００６】
本発明は、前記事情に鑑みてなされたもので、製造コストが低く、機密性に優れる隠蔽ラベルを提供することを目的とする。
【課題を解決するための手段】
【０００７】
本発明は、第一部材と、該第一部材の一方の面の少なくとも一部に設けられた剥離インキからなる第二部材と、該第二部材の前記第一部材と接する面とは反対の面に接するように設けられた隠蔽色インキからなる第三部材と、該第三部材の前記第二部材と接する面とは反対の面に順に積層された剥離インキからなる第四部材、紫外線硬化性のワニスからなる第五部材、および、粘着剤からなる第六部材と、該第六部材の前記第一部材と対向する面とは反対の面に貼付された第七部材と、を備えてなり、前記第四部材には前記第三部材と接する面から前記第五部材と接する面に渡り、かつ、前記第二部材と重なる貫通部が設けられてなる隠蔽ラベルを提供する。
【０００８】
かかる構成によれば、被着体に貼付された隠蔽ラベルが剥がされると、被着体の隠蔽ラベルが貼付されていた面には、第三部材からなる文字や模様が形成されるから、第三者によって、被着体の隠蔽ラベルが貼付されていた面に記載された個人情報が盗み見られると、その痕跡が文字や模様として残る。
【０００９】
本発明は、第一部材と、該第一部材の一方の面に順に積層された隠蔽色インキからなる第二部材、剥離インキからなる第三部材、紫外線硬化性のワニスからなる第四部材、および、粘着剤からなる第五部材と、該第五部材の前記第一部材と対向する面とは反対の面に貼付された第六部材と、を備えてなり、前記第三部材には前記第二部材と接する面から前記第四部材と接する面に渡る貫通部が設けられてなる隠蔽ラベルを提供する。
【００１０】
かかる構成によれば、被着体に貼付された隠蔽ラベルが剥がされると、隠蔽ラベルの被着体に貼付されていた面には、被着体に設けられている文字や模様が形成されるから、第三者によって、被着体の隠蔽ラベルが貼付されていた面に記載された個人情報が盗み見られると、その痕跡が文字や模様として残る。
【発明の効果】
【００１１】
本発明の隠蔽ラベルは、被着体に貼付された隠蔽ラベルが剥がされると、被着体の隠蔽ラベルが貼付されていた面には、第三部材からなる文字や模様が形成されるから、第三者によって、被着体の隠蔽ラベルが貼付されていた面に記載された個人情報が盗み見られると、その痕跡が文字や模様として残る。したがって、本発明の隠蔽ラベルによれば、第三者による不正の痕跡を残すことができるので、第三者による不正を抑制することができるとともに、個人情報の機密性を高めることができる。さらに、本発明の隠蔽ラベルは、主に、各種インクを用いた塗布工程によって製造することができるから、シート状の基材を積層してなる従来の隠蔽ラベルよりも安価に製造することができる上に、工程を簡略化することもできるので、結果として、製造コストを低減することができる。
【００１２】
本発明の隠蔽ラベルは、被着体に貼付された隠蔽ラベルが剥がされると、隠蔽ラベルの被着体に貼付されていた面には、被着体に設けられている文字や模様が形成されるから、第三者によって、被着体の隠蔽ラベルが貼付されていた面に記載された個人情報が盗み見られると、その痕跡が文字や模様として残る。したがって、本発明の隠蔽ラベルによれば、第三者による不正の痕跡を残すことができるので、第三者による不正を抑制することができるとともに、個人情報の機密性を高めることができる。さらに、本発明の隠蔽ラベルは、主に、各種インクを用いた塗布工程によって製造することができるから、シート状の基材を積層してなる従来の隠蔽ラベルよりも安価に製造することができる上に、工程を簡略化することもできるので、結果として、製造コストを低減することができる。
【発明を実施するための最良の形態】
【００１３】
以下、本発明を実施した隠蔽ラベルについて詳細に説明する。
【００１４】
（第一の実施形態）
図１は、本発明に係る隠蔽ラベルの第一の実施形態を示す概略断面図である。
この実施形態の隠蔽ラベル１０は、第一部材１１と、第一部材１１の一方の面１１ａに設けられた第二部材１２と、第二部材１２の第一部材１１と接する面とは反対の面（以下、「一方の面」という。）１２ａに接するように設けられた第三部材１３と、第三部材１３の第二部材１２と接する面とは反対の面（以下、「一方の面」という。）１３ａに順に積層された第四部材１４、第五部材１５、および、第六部材１６と、第六部材１６の第一部材１１と対向する面とは反対の面（以下、「一方の面」という。）１６ａに貼付された第七部材１７とから概略構成されている。
【００１５】
この隠蔽ラベル１０では、第四部材１４において、第三部材１３と接する面から第五部材１５と接する面に渡り、かつ、第二部材１２と重なる位置に、文字や模様などの所定のパターンをなす貫通部１４ａが設けられている。この貫通部１４ａが形成する文字としては、例えば、隠蔽ラベル１０から第七部材１７を剥がしてなるラベル１０ａをハガキなどの被着体に貼付した後、再び被着体からラベル１０ａを剥がしたことを明示する「開封済」、「ＶＯＩＤ」、「ＯＰＥＮ」などの文字の左右が反転した逆像が挙げられる。
【００１６】
また、第二部材１２は、第一部材１１の一方の面１１ａの少なくとも一部に、第四部材１４の貫通部１４ａのなすパターンと同様、かつ、このパターンよりも大きめのパターンに形成されている。
【００１７】
また、隠蔽ラベル１０では、第六部材１６の一方の面１６ａが、ハガキなどの被着体に貼付される粘着面をなしている。
【００１８】
第一部材１１としては、上質紙、合成紙、片面コート紙、ポリプロピレンフィルム、ＰＥＴフィルムなどの基材が挙げられる。なお、その他、剥離剤、基材ともに、公知のものを適宜用いることができる。
【００１９】
第二部材１２および第四部材１４をなす材料としては、反応性シリコーンやシリコーンオイルを１質量％以上、１０質量％以下程度含む紫外線硬化性のインキからなる剥離インキが挙げられる。
【００２０】
第三部材１３をなす材料としては、紫外線硬化性の隠蔽色インキが挙げられ、隠蔽色インキの中でも、藍色系や黒色系のものが好適である。
【００２１】
第五部材１５をなす材料としては、ウレタン−アクリル系、アクリル系、変成アクリル系などの紫外線硬化性のメジウムインキやワニスからなる光透過性の材料が挙げられる。この紫外線硬化性のメジウムインキやワニスは、被膜を形成可能なインキである。このような構成により、第五部材１５は疑似接着性を示す。
【００２２】
第六部材１６をなす材料としては、スチレンゴム系、アクリル系、ウレタン系などからなる光透過性のホットメルト粘着剤が挙げられる。なお、その他の粘着剤でも、公知のものを適宜用いることができる。
【００２３】
第七部材１７としては、シリコーン系、非シリコーン系などの剥離剤が塗布された、上質紙、合成紙、コート紙、ポリプロピレンフィルム、ＰＥＴフィルムなどの基材かならる剥離基材が挙げられる。なお、その他、剥離剤、基材ともに、公知のものを適宜用いることができる。
【００２４】
次に、図２および図３を参照して、この隠蔽ラベル１０の使用方法について説明する。
隠蔽ラベル１０から第七部材１７を剥がした後、文字や模様のパターンの左右が反転した逆像１４Ａをなす貫通部１４ａが形成されている第四部材１４が設けられたラベル１０ａを、ハガキなどの被着体２０の一方の面２０ａにおける個人情報などが記載された領域２１を覆うように貼付し、ラベル１０ａを押圧する（図２、図３（ａ）参照）と、第二部材１２をなす剥離インキが第一部材１１に移行（溶出）するとともに、第五部材１５をなす紫外線硬化性のワニスが第四部材１４の貫通部１４ａ内に圧入され、第五部材１５が第三部材１３に接着する。
【００２５】
そして、図３（ｂ）に示すように、被着体２０からラベル１０ａを剥がすと、第四部材１４と第五部材１５の界面で剥離が起こるとともに、第三部材１３のうち第五部材１５に接着している部分のみが、第五部材１５（貫通部１４ａ内に圧入されてなる部分）上に残る。その結果として、第五部材１５の一方の面１５ａ上、すなわち、被着体２０の一方の面２０ａには、貫通部１４ａの逆像１４Ａと左右が反転した、第三部材１３からなる正像１３Ａが形成（転写）される（図３（ｂ）参照）。すなわち、例えば、上述のように、第四部材１４の逆像１４Ａを「開封済」、「ＶＯＩＤ」、「ＯＰＥＮ」などの文字の左右が反転したパターンに形成しておけば、被着体２０の一方の面２０ａには、「開封済」、「ＶＯＩＤ」、「ＯＰＥＮ」などの文字の正像１３Ａが形成（転写）される。
【００２６】
また、被着体２０の一方の面２０ａにおいて、ラベル１０ａが貼付された領域の端部に正像１３Ａが形成（転写）されるように、すなわち、第四部材１４の周縁部に貫通部１４ａを設けておけば、被着体２０に貼付されたラベル１０ａをわずかに捲っただけでも、その痕跡が残るようにすることができる。
【００２７】
この隠蔽ラベル１０によれば、上述のように、被着体２０からラベル１０ａが剥がされると、被着体２０の一方の面２０ａには、第三部材１３からなる文字や模様が形成されるから、第三者によって、被着体２０の一方の面２０ａに記載された個人情報が盗み見られると、その痕跡が文字や模様として残る。したがって、隠蔽ラベル１０を用いれば、第三者による不正の痕跡を残すことができるので、第三者による不正を抑制することができるとともに、個人情報の機密性を高めることができる。また、第五部材１５および第六部材１６は、光透過性の材料からなるから、ラベル１０ａを被着体２０から剥がせば、第五部材１５および第六部材１６を介して被着体２０の一方の面２０ａに記載された個人情報を読み取ることができる。
【００２８】
次に、図１を参照して、この実施形態の隠蔽ラベルの製造方法について説明する。
まず、第一部材１１の一方の面１１ａに、ドライオフセット印刷（レタープレス）により、剥離インキを所定のパターンに塗布し、所定のパターンをなす第二部材１２を形成する。
次いで、第二部材１２の一方の面１２ａおよび第一部材１１の一方の面１１ａを覆うように、紫外線硬化性の隠蔽色インキを塗布し、この隠蔽色インキを乾燥させて、第三部材１３を形成する。
次いで、第三部材１３の第二部材１２と接する面とは反対の面に、ドライオフセット印刷（レタープレス）またはウェットオフセット印刷により、剥離インキを所定のパターンに塗布し、第二部材１２と重なる位置に所定のパターンをなす貫通部１４ａが設けられた第四部材１４を形成する。
【００２９】
次いで、第四部材１４の第三部材１３と接する面とは反対の面に、ドライオフセット印刷（レタープレス）またはフレキソ印刷により、紫外線硬化性のメジウムインキやワニスを塗布し、この紫外線硬化性のメジウムインキやワニスを乾燥させて第五部材１５を形成する。
【００３０】
次いで、第五部材１５の第四部材１４と接する面とは反対の面に、ホットメルト粘着剤を塗布し、第六部材１６を形成する。
【００３１】
最後に、第六部材１６の一方の面１６ａに第七部材１７を貼付して隠蔽ラベル１０を得る。
【００３２】
このように、隠蔽ラベル１０は、主に、各種インクを用いた塗布工程によって製造することができるから、シート状の基材を積層してなる従来の隠蔽ラベルよりも安価に製造することができる。また、隠蔽ラベル１０の製造方法は塗布工程を主とするから、工程を簡略化することもできるので、結果として、製造コストを低減することができる。
【００３３】
次に、図４を参照して、上述の隠蔽ラベル１０を適用した隠蔽ハガキについて説明する。
図４は、本発明の隠蔽ラベルを適用した隠蔽ハガキの一実施形態を示す概略断面図であり、（ａ）、（ｂ）はラベルをハガキに貼付した状態を示す図、（ｃ）はラベルをハガキから剥がした状態を示す図である。
なお、図４において、図１に示した隠蔽ラベル１０と同一の構成要素には同一符号を付して、その説明を省略する。
【００３４】
この実施形態の隠蔽ハガキ３０は、ハガキ３１と、ハガキ３１の一方の面３１ａの個人情報などが記載された領域を覆うように貼付されたラベル１０ａとから概略構成されている。
【００３５】
この隠蔽ハガキ３０では、図４（ａ）に示すように、個人情報などが記載された領域を覆うように、ラベル１０ａがハガキ３１の一方の面３１ａに貼付され、押圧されて、第二部材１２をなす剥離インキが第一部材１１に移行（溶出）するとともに、第五部材１５をなす紫外線硬化性のワニスが第四部材１４の貫通部１４ａ内に圧入されて、第五部材１５が第三部材１３に接着している。
【００３６】
そこで、図４（ｂ）に示すように、ラベル１０ａをハガキ３１から剥がすと、第四部材１４と第五部材１５の界面で剥離が起こるとともに、第三部材１３のうち第五部材１５に接着している部分のみが、第五部材１５（貫通部１４ａ内に圧入されてなる部分）上に残る。その結果として、第五部材１５の一方の面１５ａ上、すなわち、ハガキ３１の一方の面３１ａには、第四部材１４の貫通部１４ａのなす逆像と左右が反転した、第三部材１３からなる正像が形成（転写）される。すなわち、例えば、上述のように、第四部材１４の第四部材１４の逆像を「開封済」、「ＶＯＩＤ」、「ＯＰＥＮ」などの文字の左右が反転したパターンに形成しておけば、ハガキ３１の一方の面３１ａには、「開封済」、「ＶＯＩＤ」、「ＯＰＥＮ」などの文字の正像が形成（転写）される。
【００３７】
この隠蔽ハガキ３０にあっても、上述のように、第三者によって、ハガキ３１からラベル１０ａが剥がされ、ハガキ３１の一方の面３１ａに記載された個人情報が盗み見られた後、ラベル１０ａが再び貼付されたとしても、被着体２０の一方の面２０ａには、第三部材１３からなる文字や模様が形成さて、不正の痕跡が残る。したがって、隠蔽ハガキ３０を用いれば、第三者による不正の痕跡を残すことができるので、第三者による不正を抑制することができるとともに、個人情報の機密性を高めることができる。
【００３８】
（第二の実施形態）
図５は、本発明に係る隠蔽ラベルの第二の実施形態を示す概略断面図であり、（ａ）は隠蔽ラベルを使用する前の状態を示す図、（ｂ）および（ｃ）は隠蔽ラベルの使用方法を示す図である。
この実施形態の隠蔽ラベル４０は、折れ線５０を境として一片４１Ａと他片４１Ｂからなる第一部材４１と、一片４１Ａの一方の面４１ａに設けられた第二部材４２と、第二部材４２の第一部材４１と接する面とは反対の面（以下、「一方の面」という。）４２ａに接するように設けられた第三部材４３と、第三部材４３の第二部材４２と接する面とは反対の面（以下、「一方の面」という。）４３ａに順に積層された第四部材４４、第五部材４５、および、第六部材４６と、第六部材４６の第一部材４１と対向する面とは反対の面（以下、「一方の面」という。）４６ａに貼付された第七部材４７とから概略構成されている。
【００３９】
この隠蔽ラベル４０では、第四部材４４において、第三部材４３と接する面から第五部材４５と接する面に渡り、かつ、第二部材４２と重なる位置に、文字や模様などの所定のパターンをなす貫通部４４ａが設けられている。この貫通部４４ａが形成する文字としては、例えば、隠蔽ラベル４０から第七部材４７を剥がしてなるラベル４０ａを被着体（ここでは、他片４１Ｂ）に貼付した後、再び被着体からラベル４０ａを剥がしたことを明示する「開封済」、「ＶＯＩＤ」、「ＯＰＥＮ」などの文字の左右が反転した逆像が挙げられる。
【００４０】
また、第二部材４２は、第一部材４１の一方の面４１ａの少なくとも一部に、第四部材４４の貫通部４４ａのなすパターンと同様、かつ、このパターンよりも大きめのパターンに形成されている。
【００４１】
第一部材４１としては、上記の第一部材１１と同様のものが挙げられる。
第二部材４２をなす材料としては、上記の第二部材１２をなす材料と同様のものが用いられる。
第三部材４３をなす材料としては、上記の第三部材１３をなす材料と同様のものが用いられる。
【００４２】
第四部材４４をなす材料としては、上記の第四部材１４をなす材料と同様のものが用いられる。
第五部材４５をなす粘着剤としては、上記の第五部材１５をなす材料と同様のものが用いられる。
【００４３】
第六部材４６をなす材料としては、上記の第六部材１６をなす材料と同様のものが用いられる。
第七部材４７としては、上記の第七部材１７と同様のものが用いられる。
【００４４】
隠蔽ラベル４０では、図５（ｂ）に示すように、第一部材４１を、折れ線５０を境として折り曲げ、隠蔽ラベル４０から第七部材４７を剥がしてなるラベル４０ａを、他片４１Ｂの一方の面４１ａに貼付し、ラベル４０ａを押圧すると、第二部材４２をなす剥離インキが第一部材４１に移行（溶出）するとともに、第五部材４５をなす紫外線硬化性のワニスが第四部材４４の貫通部４４ａ内に圧入され、第五部材４５が第三部材４３に接着する。
【００４５】
そして、図５（ｃ）に示すように、ラベル４０ａを他片４１Ｂから剥がすと、第四部材４４と第五部材４５の界面で剥離が起こるとともに、第三部材４３のうち第五部材４５に接着している部分のみが、第五部材４５（貫通部４４ａ内に圧入されてなる部分）上に残る。その結果として、第五部材４５の一方の面４５ａ上、すなわち、他片４１Ｂの一方の面４１ａには、貫通部４４ａの逆像と左右が反転した、第三部材４３からなる正像が形成（転写）される。すなわち、例えば、上述のように、第四部材４４の逆像を「開封済」、「ＶＯＩＤ」、「ＯＰＥＮ」などの文字の左右が反転したパターンに形成しておけば、他片４１Ｂの一方の面４１ａには、「開封済」、「ＶＯＩＤ」、「ＯＰＥＮ」などの文字の正像が形成（転写）される。
【００４６】
この隠蔽ラベル４０にあっても、上述のように、第三者によって、他片４１Ｂからラベル４０ａが剥がされ、他片４１Ｂの一方の面４１ａに記載された個人情報が盗み見られた後、ラベル４０ａが再び貼付されたとしても、他片４１Ｂの一方の面４１ａには第三部材４３からなる文字または模様が形成されて、不正の痕跡が残る。したがって、隠蔽ラベル４０を用いれば、第三者による不正の痕跡を残すことができるので、第三者による不正を抑制することができるとともに、個人情報の機密性を高めることができる。
【００４７】
なお、この隠蔽ラベル４０を、隠蔽ハガキとして用いることもできる。
【００４８】
また、この実施形態の隠蔽ラベル４０は、上述の第一の実施形態と同様にして、製造することができる
【００４９】
（第三の実施形態）
図６は、本発明に係る隠蔽ラベルの第三の実施形態を示す概略断面図である。
この実施形態の隠蔽ラベル６０は、第一部材６１と、第一部材６１の一方の面６１ａに順に積層された第二部材６２、第三部材６３、第四部材６４、および、第五部材６５と、第五部材６５の第一部材６１と対向する面とは反対の面（以下、「一方の面」という。）６５ａに貼付された第六部材６６とから概略構成されている。
【００５０】
この隠蔽ラベル６０では、第三部材６３において、第二部材６２と接する面から第四部材６４と接する面に渡り、文字や模様などの所定のパターンをなす貫通部６３ａが設けられている。この貫通部６３ａが形成する文字としては、例えば、隠蔽ラベル６０から第六部材６６を剥がしてなるラベル６０ａをハガキなどの被着体に貼付した後、再び被着体からラベル６０ａを剥がしたことを明示する「開封済」、「ＶＯＩＤ」、「ＯＰＥＮ」などの文字が挙げられる。
【００５１】
また、隠蔽ラベル６０では、第五部材６５の一方の面６５ａが、ハガキなどの被着体に貼付される粘着面をなしている。
【００５２】
第一部材６１としては、紙、上質紙、合成紙、片面コート紙、ポリプロピレンフィルム、ＰＥＴフィルムなどの基材が挙げられる。なお、その他、剥離剤、基材ともに、公知のものを適宜用いることができる。
【００５３】
第二部材６２をなす材料としては、紫外線硬化性の隠蔽色インキが挙げられ、隠蔽色インキの中でも、藍色系や黒色系のものが好適である。
【００５４】
第三部材６３をなす材料としては、反応性シリコーンやシリコーンオイルを１質量％以上、１０質量％以下程度含む紫外線硬化性のインキからなる剥離インキが挙げられる。
【００５５】
第四部材６４をなす材料としては、ウレタン−アクリル系、アクリル系、変成アクリル系などの紫外線硬化性のメジウムインキやワニスからなる光透過性の材料が挙げられる。この紫外線硬化性のメジウムインキやワニスは、被膜を形成可能なインキである。このような構成により、第四部材６４は疑似接着性を示す。
【００５６】
第五部材６５をなす材料としては、スチレンゴム系、アクリル系、ウレタン系などからなる光透過性のホットメルト粘着剤が挙げられる。なお、その他の粘着剤でも、公知のものを適宜用いることができる。
【００５７】
第六部材６６としては、シリコーン系、非シリコーン系などの剥離剤が塗布された、紙、合成紙、コート紙、ポリプロピレンフィルム、ＰＥＴフィルムなどの基材からなる剥離基材が挙げられる。なお、その他、剥離剤、基材ともに、公知のものを適宜用いることができる。
【００５８】
次に、図７〜図９を参照して、この隠蔽ラベル６０の使用方法について説明する。
隠蔽ラベル６０から第六部材６６を剥がした後、文字や模様のパターンをなす貫通部６３ａが形成されている第三部材６３が設けられたラベル６０ａを、ハガキなどの被着体７０の一方の面７０ａにおける個人情報などが記載された領域７１を覆うように貼付する。この領域７１には、文字や模様のパターンの左右が反転した逆像７２Ａをなし、色インキと剥離インキが被着体７０の一方の面７０ａに順に積層されてなる部材７２が設けられている。そして、ラベル６０ａを押圧する（図７、図８参照）と、第四部材６４をなす紫外線硬化性のワニスが第三部材６３の貫通部６３ａ内に圧入され、第四部材６４が第二部材６２および第三部材６３に接着する。
【００５９】
そして、図９に示すように、被着体７０からラベル６０ａを剥がすと、第三部材６３と第四部材６４の界面で剥離が起こるとともに、第五部材６５のうち第四部材６４に接着している部分、すなわち、第五部材６５のうち部材７２をなす剥離インキと重なる部分のみが、ラベル６０ａ側に残る。その結果として、ラベル６０ａの粘着面側（被着体７０の一方の面７０ａに貼付されていた面側）には、部材７２の逆像７２Ａと左右が反転した、第四部材６４および第五部材６５からなる正像６５Ａが形成（転写）される（図９参照）。例えば、上述のように、部材７２の逆像７２Ａを「開封済」、「ＶＯＩＤ」、「ＯＰＥＮ」などの文字の左右が反転したパターンに形成しておけば、ラベル６０ａの粘着面側には、「開封済」、「ＶＯＩＤ」、「ＯＰＥＮ」などの文字の正像６５Ａが形成（転写）される。
【００６０】
また、ラベル６０ａの粘着面側において、被着体７０の一方の面７０ａに貼付される領域の端部に正像６５Ａが形成（転写）されるように、すなわち、第三部材６３の周縁部に貫通部６３ａを設けておけば、被着体７０に貼付されたラベル６０ａをわずかに捲っただけでも、その痕跡が残るようにすることができる。
【００６１】
この隠蔽ラベル６０によれば、上述のように、被着体７０からラベル６０ａが剥がされ、被着体７０の一方の面７０ａには、第三部材６３からなる文字や模様が形成されるから、第三者によって、被着体７０の一方の面７０ａに記載された個人情報が盗み見られると、その痕跡が文字や模様として残る。したがって、隠蔽ラベル７０を用いれば、第三者による不正の痕跡を残すことができるので、第三者による不正を抑制することができるとともに、個人情報の機密性を高めることができる。また、第四部材６４および第五部材６５は、光透過性の材料からなるから、ラベル６０ａを被着体７０から剥がせば、第四部材６４および第五部材６５を介して被着体７０の一方の面７０ａに記載された個人情報を読み取ることができる。
【００６２】
次に、図６を参照して、この実施形態の隠蔽ラベルの製造方法について説明する。
まず、第一部材６１の一方の面６１ａを覆うように、紫外線硬化性の隠蔽色インキを塗布し、この隠蔽色インキを乾燥させて、第二部材６２を形成する。
次いで、第二部材６２の第一部材６１と接する面とは反対の面に、ドライオフセット印刷（レタープレス）またはウェットオフセット印刷により、剥離インキを所定のパターンに塗布し、所定のパターンをなす貫通部６３ａが設けられた第三部材６３を形成する。
【００６３】
次いで、第三部材６３の第二部材６２と接する面とは反対の面に、ドライオフセット印刷（レタープレス）またはフレキソ印刷により、紫外線硬化性のメジウムインキやワニスを塗布し、この紫外線硬化性のメジウムインキやワニスを乾燥させて第四部材６４を形成する。
【００６４】
次いで、第四部材６４の第三部材６３と接する面とは反対の面に、ホットメルト粘着剤を塗布し、第五部材６５を形成する。
【００６５】
最後に、第五部材６５の一方の面６５ａに第六部材６６を貼付して隠蔽ラベル６０を得る。
【００６６】
このように、隠蔽ラベル６０は、主に、各種インクを用いた塗布工程によって製造することができるから、シート状の基材を積層してなる従来の隠蔽ラベルよりも安価に製造することができる。また、隠蔽ラベル６０の製造方法は塗布工程を主とするから、工程を簡略化することもできるので、結果として、製造コストを低減することができる。
【００６７】
次に、図１０を参照して、上述の隠蔽ラベル６０を適用した隠蔽ハガキについて説明する。
図１０は、本発明の隠蔽ラベルを適用した隠蔽ハガキの一実施形態を示す概略断面図であり、（ａ）、（ｂ）はラベルをハガキに貼付した状態を示す図、（ｃ）はラベルをハガキから剥がした状態を示す図である。
なお、図１０において、図６に示した隠蔽ラベル６０と同一の構成要素には同一符号を付して、その説明を省略する。
【００６８】
この実施形態の隠蔽ハガキ８０は、ハガキ８１と、ハガキ８１の一方の面８１ａの個人情報などが記載された領域を覆うように貼付されたラベル６０ａとから概略構成されている。
【００６９】
また、ハガキ８１の一方の面８１ａにおける個人情報などが記載された領域には、ラベル６０ａを貼付した場合に、第三部材６３の貫通部６３ａと重なる位置に、文字や模様のパターンの左右が反転した逆像をなし、色インキからなる第七部材８２と、剥離インキからなる第八部材８３が順に積層されている。なお、第八部材８３は、第三部材６３の貫通部６３ａのなすパターンと同様に形成されている。また、第七部材８２は、第三部材６３の貫通部６３ａのなすパターンと同様、かつ、このパターンよりも大きめのパターンに形成されている。
【００７０】
第七部材８２をなす材料としては、紫外線硬化性の色インキが挙げられ、色インキの中でも、藍色系や黒色系のものが好適である。
第八部材８３をなす材料としては、上記の第三部材６３をなす材料と同様のものが用いられる。
【００７１】
この隠蔽ハガキ８０では、図１０（ａ）、（ｂ）に示すように、個人情報などが記載された領域を覆うように、ラベル６０ａがハガキ８１の一方の面８１ａに貼付され、押圧されると、第四部材６４をなす紫外線硬化性のワニスが第三部材６３の貫通部６３ａ内に圧入され、第四部材６４が第二部材６２および第三部材６３に接着する。
【００７２】
そこで、図１０（ｃ）に示すように、ラベル６０ａをハガキ８１から剥がすと、第三部材６３と第四部材６４の界面で剥離が起こるとともに、第五部材６５のうち第四部材６４に接着している部分、すなわち、第五部材６５のうち第八部材８３をなす剥離インキと重なる部分のみが、ラベル６０ａ側に残る。その結果として、ラベル６０ａの粘着面側（ハガキ８１の一方の面８１ａに貼付されていた面側）には、第八部材８３の逆像と左右が反転した、第四部材６４および第五部材６５からなる正像が形成（転写）される。例えば、上述のように、第八部材８３の逆像を「開封済」、「ＶＯＩＤ」、「ＯＰＥＮ」などの文字の左右が反転したパターンに形成しておけば、ラベル６０ａの粘着面側には、「開封済」、「ＶＯＩＤ」、「ＯＰＥＮ」などの文字の正像が形成（転写）される。
【００７３】
この隠蔽ハガキ８０にあっても、上述のように、第三者によって、ハガキ８１からラベル６０ａが剥がされ、ハガキ８１の一方の面８１ａに記載された個人情報が盗み見られた後、ラベル６０ａが再び貼付されたとしても、ラベル６０ａの粘着面側には、第四部材６４および第五部材６５からなる文字や模様が形成さて、不正の痕跡が残る。したがって、隠蔽ハガキ８０を用いれば、第三者による不正の痕跡を残すことができるので、第三者による不正を抑制することができるとともに、個人情報の機密性を高めることができる。
【００７４】
（第四の実施形態）
図１１は、本発明に係る隠蔽ラベルの第四の実施形態を示す概略断面図であり、（ａ）は隠蔽ラベルを使用する前の状態を示す図、（ｂ）および（ｃ）は隠蔽ラベルの使用方法を示す図である。
この実施形態の隠蔽ラベル９０は、折れ線１００を境として一片９１Ａと他片９１Ｂからなる第一部材９１と、一片９１Ａの一方の面９１ａに順に積層された第二部材９２、第三部材９３、第四部材９４、および、第五部材９５と、第五部材９５の第一部材９１と対向する面とは反対の面（以下、「一方の面」という。）９５ａに貼付された第六部材９６と、他片９１Ｂの一方の面９１ａに順に積層された第七部材９７および第八部材９８とから概略構成されている。
【００７５】
この隠蔽ラベル９０では、第三部材９３において、第二部材９２と接する面から第四部材９４と接する面に渡り、かつ、折れ線１００を境として一片９１Ａと他片９１Ｂを重ね合わせた場合に第八部材９８と重なる位置に、文字や模様などの所定のパターンをなす貫通部９３ａが設けられている。この貫通部９３ａが形成する文字としては、例えば、隠蔽ラベル９０から第六部材９６を剥がしてなるラベル９０ａを被着体（ここでは、他片９１Ｂ）に貼付した後、再び被着体からラベル９０ａを剥がしたことを明示する「開封済」、「ＶＯＩＤ」、「ＯＰＥＮ」などの文字が挙げられる。
【００７６】
第一部材９１としては、上記の第一部材６１と同様のものが挙げられる。
第二部材９２をなす材料としては、上記の第二部材６２をなす材料と同様のものが用いられる。
第三部材９３をなす材料としては、上記の第三部材６３をなす材料と同様のものが用いられる。
【００７７】
第四部材９４をなす材料としては、上記の第四部材６４をなす材料と同様のものが用いられる。
第五部材９５をなす粘着剤としては、上記の第五部材６５をなす材料と同様のものが用いられる。
第六部材９６としては、上記の第六部材６６と同様のものが用いられる。
【００７８】
第七部材９７をなす材料としては、紫外線硬化性の色インキが挙げられ、色インキの中でも、藍色系や黒色系のものが好適である。
第八部材９８をなす材料としては、上記の第三部材６３をなす材料と同様のものが用いられる。
【００７９】
隠蔽ラベル９０では、図１１（ｂ）に示すように、第一部材９１を、折れ線１００を境として折り曲げ、隠蔽ラベル９０から第六部材９６を剥がしてなるラベル９０ａを、他片９１Ｂの一方の面９１ａに貼付し、ラベル９０ａを押圧すると、第四部材９４をなす紫外線硬化性のワニスが第三部材９３の貫通部９３ａ内に圧入され、第四部材９４が第二部材９２および第三部材９３に接着する。
【００８０】
そして、図１１（ｃ）に示すように、ラベル９０ａを他片９１Ｂから剥がすと、第三部材９３と第四部材９４の界面で剥離が起こるとともに、第五部材９５のうち第四部材９４に接着している部分、すなわち、第五部材９５のうち第八部材９８をなす剥離インキと重なる部分のみが、ラベル９０ａ側に残る。その結果として、ラベル９０ａの粘着面側（他片９１Ｂの一方の面９１ａに貼付されていた面側）には、第八部材９８の逆像と左右が反転した、第四部材９４および第五部材９５からなる正像が形成（転写）される。例えば、上述のように、第八部材９８の逆像を「開封済」、「ＶＯＩＤ」、「ＯＰＥＮ」などの文字の左右が反転したパターンに形成しておけば、ラベル９０ａの粘着面側には、「開封済」、「ＶＯＩＤ」、「ＯＰＥＮ」などの文字の正像が形成（転写）される。
【００８１】
この隠蔽ラベル９０にあっても、上述のように、第三者によって、他片９１Ｂからラベル９０ａが剥がされ、他片９１Ｂの一方の面９１ａに記載された個人情報が盗み見られた後、ラベル９０ａが再び貼付されたとしても、ラベル９０ａの粘着面側には、第四部材９４および第五部材９５からなる文字や模様が形成さて、不正の痕跡が残る。したがって、隠蔽ラベル９０を用いれば、第三者による不正の痕跡を残すことができるので、第三者による不正を抑制することができるとともに、個人情報の機密性を高めることができる。
【００８２】
なお、この隠蔽ラベル９０を、隠蔽ハガキとして用いることもできる。
【００８３】
また、この実施形態の隠蔽ラベル９０は、上述の第三の実施形態と同様にして、製造することができる。
【産業上の利用可能性】
【００８４】
本発明の隠蔽ラベルは、選挙用投票用紙、くじ、捺印保護用シールにも適用できる。
【図面の簡単な説明】
【００８５】
【図１】本発明に係る隠蔽ラベルの第一の実施形態を示す概略断面図である。
【図２】本発明に係る隠蔽ラベルの第一の実施形態の使用方法を示す概略斜視図である。
【図３】本発明に係る隠蔽ラベルの第一の実施形態の使用方法を示す概略斜視図である。
【図４】本発明の隠蔽ラベルを適用した隠蔽ハガキの一実施形態を示す概略断面図であり、（ａ）はラベルをハガキに貼付した状態を示す図、（ｂ）はラベルをハガキから剥がした状態を示す図である。
【図５】本発明に係る隠蔽ラベルの第二の実施形態を示す概略断面図であり、（ａ）は隠蔽ラベルを使用する前の状態を示す図、（ｂ）および（ｃ）は隠蔽ラベルの使用方法を示す図である。
【図６】本発明に係る隠蔽ラベルの第三の実施形態を示す概略断面図である。
【図７】本発明に係る隠蔽ラベルの第三の実施形態の使用方法を示す概略斜視図である。
【図８】本発明に係る隠蔽ラベルの第三の実施形態の使用方法を示す概略斜視図である。
【図９】本発明に係る隠蔽ラベルの第三の実施形態の使用方法を示す概略斜視図である。
【図１０】本発明の隠蔽ラベルを適用した隠蔽ハガキの一実施形態を示す概略断面図であり、（ａ）、（ｂ）はラベルをハガキに貼付した状態を示す図、（ｃ）はラベルをハガキから剥がした状態を示す図である。
【図１１】本発明に係る隠蔽ラベルの第四の実施形態を示す概略断面図であり、（ａ）は隠蔽ラベルを使用する前の状態を示す図、（ｂ）および（ｃ）は隠蔽ラベルの使用方法を示す図である。
【符号の説明】
【００８６】
１０，４０，６０，９０・・・隠蔽ラベル、１０ａ，４０ａ，６０ａ，９０ａ・・・ラベル、１１，４１，６１，９１・・・第一部材、１２，４２，６２，９２・・・第二部材、１３，４３，６３，９３・・・第三部材、１４，４４，６４，９４・・・第四部材、１５，４５，６５，９５・・・第五部材、１６，４６，６６，９６・・・第六部材、１７，４７，８２，９７・・・第七部材、２０，７０・・・被着体、３０，８０・・・隠蔽ハガキ、３１，８１・・・ハガキ、４１Ａ，９１Ａ・・・一片、４１Ｂ，９１Ｂ・・・他片、５０，１００・・・折れ線、８３，９８・・・第八部材。
【図１】
2006178171.tif 000003
【図２】
2006178171.tif 000004
【図３】
2006178171.tif 000005
【図４】
2006178171.tif 000006
【図５】
2006178171.tif 000007
【図６】
2006178171.tif 000008
【図７】
2006178171.tif 000009
【図８】
2006178171.tif 000010
【図９】
2006178171.tif 000011
【図１０】
2006178171.tif 000012
【図１１】
2006178171.tif 000013